(57)【要約】【課題】専用の支柱を用いることなく、簡素な構成によって十分な止水効果を得ることが可能な止水構造を提供する。【解決手段】止水構造１０は、止水シート１１、板状部材１８、挿入ゴム１７、溝部材１３を備えている。板状部材１８は、止水シート１１の端部に沿って取り付けられている。挿入ゴム１７は、板状部材１８における所定領域側の面に設けられている。溝部材１３は、止水シート１１の設置面に立設されており、略Ｕ字状の断面形状を有し、板状部材１８と挿入ゴム１７とが挿入される。挿入ゴム１７は、所定領域側の面から溝部材１３の長手方向に沿って突出するように設けられ溝部材１３の内部に挿入されると溝部材１３の内部において弾性変形する突出部１７ｂ、止水シート１１が所定領域側へ押圧された際に溝部材１３の内部に当接して弾性変形する当接面１７ｃを有している。【選択図】図１１
2019210734.tif 000002
【特許請求の範囲】
【請求項１】
所定領域への水の浸入を規制する止水構造であって、
板状またはシート状の止水部材と、
前記止水部材における左右方向における少なくとも一方の端部に沿って取り付けられた板状部材と、
前記板状部材における前記所定領域側の面に設けられた弾性部材と、
前記止水部材の設置面に立設されており、略Ｕ字状の断面形状を有し、前記板状部材と前記弾性部材とが挿入される溝部材と、
を備え、
前記弾性部材は、前記所定領域側の面から前記溝部材の長手方向に沿って突出するように設けられ前記溝部材の内部に挿入されると前記溝部材の内部において弾性変形する第１止水部と、前記止水部材が前記所定領域側へ押圧された際に前記溝部材の内部に当接して弾性変形する第２止水部と、を有している、
止水構造。
【請求項２】
前記所定領域とは反対側の浸水領域における水位が所定の高さ未満のときには前記第１止水部がシール部分を形成し、前記水位が所定の高さを超えると前記第２止水部が前記溝部材の一部に接触して弾性変形し、前記第１止水部および前記第２止水部の双方がシール部分を形成する、
請求項１に記載の止水構造。
【請求項３】
前記第１止水部は、前記第２止水部よりも前記溝部材の奥側に配置されている、
請求項１または２に記載の止水構造。
【請求項４】
前記第１止水部は、前記溝部材に挿入された状態において、前記溝部材の溝部分の深さの１／２以上奥側に配置される、
請求項１から３のいずれか１項に記載の止水構造。
【請求項５】
前記第１止水部は、２００Ｎ以下の荷重で前記溝部材へ挿入されるように形成されている、
請求項１から４のいずれか１項に記載の止水構造。
【請求項６】
前記第１止水部は、略三角形、略半円の断面を有している、
請求項１から５のいずれか１項に記載の止水構造。
【請求項７】
前記止水部材は、シート状であって巻回可能である、
請求項１から６のいずれか１項に記載の止水構造。
【請求項８】
前記溝部材は、既設のシャッタを開閉するためのシャッタ溝である、
請求項１から７のいずれか１項に記載の止水構造。
【発明の詳細な説明】
【技術分野】
【０００１】
本発明は、所定領域への浸水を規制する際に設置される止水構造に関する。
【背景技術】
【０００２】
近年、ゲリラ豪雨や河川の氾濫等の緊急時等において、建造物や地下街への雨水の浸入を防止するために、止水板が設置されている。
【０００３】
例えば、特許文献１には、基礎上に支柱を立て並べ、支柱の側部に設けられた凹溝に壁面パネルの側端部を嵌め込んで止水壁を形成し、支柱の周壁部における下部から壁面パネルが取り付けられる位置の高さに至る表面部分に弾性体を設けた止水壁構成体が開示されている。
【先行技術文献】
【特許文献】
【０００４】
【特許文献１】特許第５６８１３２１号公報
【発明の概要】
【発明が解決しようとする課題】
【０００５】
しかしながら、上記従来の止水壁構成体では、以下に示すような問題点を有している。
すなわち、上記公報に開示された構成では、止水部材として用いられる壁面パネルの側端部に合った専用の支柱が必要となる。また、仮に、例えば、既設のシャッタを開閉するためのシャッタ溝等を支柱の代わりに使用した場合には、弾性体とシャッタ溝等との間に隙間が生じ、十分な止水効果を得ることができないおそれがある。
【０００６】
本発明の課題は、専用の支柱を用いることなく、簡素な構成によって十分な止水効果を得ることが可能な止水構造を提供することにある。
【課題を解決するための手段】
【０００７】
第１の発明に係る止水構造は、所定領域への水の浸入を規制する止水構造であって、板状またはシート状の止水部材と、板状部材と、弾性部材と、溝部材と、を備えている。板状部材は、止水部材における左右方向における少なくとも一方の端部に沿って取り付けられている。弾性部材は、板状部材における所定領域側の面に設けられている。溝部材は、止水部材の設置面に立設されており、略Ｕ字状の断面形状を有し、板状部材と弾性部材とが挿入される。弾性部材は、所定領域側の面から溝部材の長手方向に沿って突出するように設けられ溝部材の内部に挿入されると溝部材の内部において弾性変形する第１止水部と、止水部材が所定領域側へ押圧された際に溝部材の内部に当接して弾性変形する第２止水部と、を有している。
【０００８】
ここでは、例えば、ゲリラ豪雨や河川の氾濫等の発生時に建造物や地下街等の所定領域への浸水を防ぐために設置される止水構造において、板状またはシート状の止水部材の左右方向における一方の端部に沿って取り付けられた板状部材に対して、弾性部材が取り付けられている。そして、弾性部材は、板状部材とともに、設置面に立設され略Ｕ字状の断面形状を有する溝部材に挿入される。さらに、弾性部材は、所定領域側に突出し溝部材の溝部分に挿入された状態で弾性変形してシール部分を形成する第１止水部と、止水部材が浸水側の水位の上昇によって所定の領域側へ押圧された際に溝部材の一部に当接して弾性変形して２つ目のシール部分を形成する第２止水部とを有している。
【０００９】
ここで、止水部材は、板状またはシート状の部材であって、例えば、巻回可能なシート状の部材の引き出し側の端部に板状部材と弾性部材とが設けられた構成であってもよい。また、溝部材は、本止水構造に専用のフレーム部材であってもよいし、例えば、既設のシャッタ用のシャッタ溝等を活用してもよい。
【００１０】
これにより、溝部材の溝部分へ挿入された状態で第１止水部が１つ目のシール部分を形成するとともに、浸水側の水位上昇によって止水部材に対して水圧が大きくなった際には、第２止水部が２つ目のシール部分を形成して、二重のシール構造とすることができる。
【００１１】
この結果、専用の支柱を用いることなく、簡素な構成によって十分な止水効果を得ることができる。
【００１２】
第２の発明に係る止水構造は、第１の発明に係る止水構造であって、所定領域とは反対側の浸水領域における水位が所定の高さ未満のときには第１止水部がシール部分を形成し、水位が所定の高さを超えると第２止水部が溝部材の一部に接触して弾性変形し、第１止水部および第２止水部の双方がシール部分を形成する。
【００１３】
ここでは、浸水側における水位が所定の高さ未満のときには、第１止水部によって形成される第１のシール部分によって浸水を規制し、水位が所定の高さを超えると、第１止水部による第１のシール部分に加えて、第２止水部による第２のシール部が形成される。
【００１４】
これにより、浸水側の水位が所定の高さを超えると自動的に２つ目のシール部分が形成されることで、より効果的に所定領域への浸水を規制することができる。
【００１５】
第３の発明に係る止水構造は、第１または第２の発明に係る止水構造であって、第１止水部は、第２止水部よりも溝部材の奥側に配置されている。
【００１６】
ここでは、溝部材の溝内へ挿入される第１止水部が、第２止水部よりも溝の奥側に配置されている。
【００１７】
これにより、溝部材の溝の奥側において第１止水部による第１のシール部分を形成し、浸水側の水位が上昇して所定の高さを超えると、溝の入り口側において第２止水部が溝部材の一部に当接して弾性変形することで第２のシール部分を形成することができる。
【００１８】
第４の発明に係る止水構造は、第１から第３の発明のいずれか１つに係る止水構造であって、第１止水部は、溝部材に挿入された状態において、溝部材の溝部分の深さの１／２以上奥側に配置される。
【００１９】
ここでは、溝部材へ挿入される弾性部材において、溝深さの半分以上奥側に配置されるように、第１止水部が設けられている。
【００２０】
これにより、溝部材の奥側に挿入された第１止水部が弾性変形することにより、溝部材の溝の深い位置においてシール部分を形成することができる。
【００２１】
第５の発明に係る止水構造は、第１から第４の発明のいずれか１つに係る止水構造であって、第１止水部は、２００Ｎ以下の荷重で溝部材へ挿入されるように形成されている。
【００２２】
ここでは、所定の荷重（２００Ｎ）以下の荷重で溝部材へ挿入できる形状あるいは硬度等になるように、第１止水部が形成されている。
【００２３】
これにより、女性や子供であっても、本止水構造を設置しやすくすることができる。
第６の発明に係る止水構造は、第１から第５の発明のいずれか１つに係る止水構造であって、第１止水部は、略三角形、略半円の断面を有している。
【００２４】
ここでは、溝部材の溝内部において弾性変形する第１止水部として、断面が略三角形あるいは略半円の弾性部材を用いる。
【００２５】
これにより、所定の荷重以下で溝部材へ挿入しやすく、溝部材の溝内において変形しやすい第１止水部を得ることができる。
【００２６】
第７の発明に係る止水構造は、第１から第６の発明のいずれか１つに係る止水構造であって、止水部材は、シート状であって巻回可能である。
【００２７】
ここでは、浸水領域と所定領域とを仕切る止水部材として、巻回可能なシート状の部材を用いる。
【００２８】
これにより、使用時以外は巻回された状態で止水部材を収納することができるとともに、使用時には、巻回された状態の止水部材を引き出して使用することができる。
【００２９】
第８の発明に係る止水構造は、第１から第７の発明のいずれか１つに係る止水構造であって、溝部材は、既設のシャッタを開閉するためのシャッタ溝である。
【００３０】
ここでは、板状部材と弾性部材とが挿入される溝部材として、既設のシャッタ溝を利用する。
【００３１】
これにより、専用の溝部材を用いなくても、本発明の止水構造を構成することができる。
【発明の効果】
【００３２】
本発明に係る止水構造によれば、専用の支柱を用いることなく、簡素な構成によって十分な止水効果を得ることができる。
【図面の簡単な説明】
【００３３】
【図１】本発明の一実施形態に係る止水構造の設置状態を示す全体斜視図。
【図２】図１の止水構造を設置する際に、巻回された止水シートを収納部から引き出して固定部材によって設置面に固定した状態を示す斜視図。
【図３】図２の収納部に収納される巻回された止水シートの弾性部材側を示す図。
【図４】図１の止水構造の設置状態を所定領域側から見た斜視図。
【図５】（ａ）は、図４の固定部材の拡大図。（ｂ）は、図４の補強部材の拡大図。
【図６】図１の浸水シートの端部に取り付けられた弾性部材を示す斜視図。
【図７】図６の弾性部材の拡大図。
【図８】図１等に示す止水構造が設置された状態において、浸水領域側が低水位にある状態を示す側面図。
【図９】図８に示す浸水領域が低水位にある際に、図１の浸水シートの端部に取り付けられた弾性部材と溝部材との位置関係を示す断面図。
【図１０】図１等に示す止水構造が設置された状態において、浸水領域側が高水位にある状態を示す側面図。
【図１１】図１０に示す浸水領域が高水位にある際に、浸水領域からの圧力によって浸水シートが所定領域側へ押圧された状態における位置関係を示す断面図。
【発明を実施するための形態】
【００３４】
本発明の一実施形態に係る止水構造１０について、図１〜図１１を用いて説明すれば以下の通りである。
【００３５】
本実施形態の止水構造１０は、例えば、ゲリラ豪雨や河川の氾濫等の災害発生時に建造物や地下街等への雨水の浸入を防止するために設置される。そして、止水構造１０は、図１に示すように、浸水した、あるいは浸水の可能性がある浸水領域Ｓ１から所定領域Ｓ２への水の浸入を防止するために、収納部３０に巻回されたシート状の止水シート（止水部材）１１を引き出して設置される。
【００３６】
止水シート１１は、未使用時には、収納部３０の内部に巻回された状態で収納されている。そして、止水シート１１は、使用時には、図１に示すように、挿入ゴム１７（図３等参照）が取り付けられた第１端部側を引き出すように、収納部３０内から引き出され、溝部材１３において保持される。
【００３７】
ここで、止水シート１１が巻回された状態で収納される収納部３０は、図２に示すように、筐体部３１と、扉３２と、巻取り軸３３と、巻取りハンドル３４とを有している。
【００３８】
筐体部３１は、図１に示すように、壁面に埋め込まれるように設置されており、図３に示す巻回された状態の止水シート１１が収納される略直方体形状の箱であって、側面の開口部分を覆う扉３２が開閉可能な状態で取り付けられている。
【００３９】
なお、図３では、説明の便宜上、巻回された止水シート１１であって、下端部に取り付けられた弾性部材１４側が上になるように上下をひっくり返した状態を示している。
【００４０】
扉３２は、未使用時には閉じられており、止水シート１１を引き出す際、あるいは止水シート１１を巻き取って筐体部３１内に収納する際に開けられる。
【００４１】
巻取り軸３３は、筐体部３１の内部に略鉛直方向に沿って回転可能な状態で設置されたシート状の止水シート１１の回転中心であって、巻取りハンドル３４によって回転させられる。
【００４２】
巻取りハンドル３４は、筐体部３１の側面に形成された開口部の上部側面に設けられており、回転操作することで、巻取り軸３３を回転させることができる。よって、巻取りハンドル３４は、使用が終わった後の止水シート１１を巻取り軸３３に巻き取る際に、作業者によって回転操作される。
【００４３】
また、止水構造１０は、図１および図３に示すように、止水シート１１と、リブ構造１２と、溝部材１３と、弾性部材１４と、固定部材１５と、補強部材１６と、挿入ゴム１７と、板状部材１８と、固定部１９（図６参照）と、締結部材２０と、を備えている。
【００４４】
止水シート１１は、例えば、炭素繊維やガラス繊維を含む樹脂製の繊維強化シートであって、図３に示すように、巻回された状態で収納部３０の筐体部３１内に収納されている。そして、止水シート１１は、図１および図２に示すように、止水構造１０の設置状態において、浸水領域Ｓ１と所定領域Ｓ２とを隔てる壁面を形成する。
【００４５】
なお、止水シート１１を形成する樹脂としては、例えば、ポリエチレン樹脂、ポリプロピレン樹脂、ナイロン樹脂、ポリメタクリル樹脂、ポリ塩化ビニル樹脂、ポリカーボネート樹脂等の熱可塑性樹脂、あるいは、ウレタン樹脂、ビニルエステル樹脂、エポキシ樹脂等の熱硬化性樹脂を用いることができる。
【００４６】
リブ構造１２は、止水シート１１の一方の表面に設けられた複数のリブ１２ａを含む補強用の部材であって、例えば、止水シート１１と同様の素材によって形成されている。
【００４７】
リブ構造１２に含まれる複数のリブ１２ａは、図１および図２に示すように、止水構造１０の設置状態において、略鉛直方向に沿って配置されている。これにより、止水シート１１の強度を向上させて、浸水領域Ｓ１側の水位が上昇した場合でも、止水シート１１が略鉛直方向において折れ曲がる等の不具合の発生を防止することができる。
【００４８】
また、リブ構造１２は、図１および図２に示すように、止水構造１０の設置状態において、浸水領域Ｓ１側に配置される。
【００４９】
これにより、浸水領域Ｓ１側の水位が上昇してきた場合でも、リブ構造１２が設けられた側の面において、水圧を抑えることができる。
【００５０】
溝部材１３は、収納部３０から引き出された止水シート１１の第１端部側に取り付けられた挿入ゴム１７および板状部材１８が挿入・保持される溝部材であって、止水シート１１に専用のフレーム部材として設置されている。
【００５１】
弾性部材１４は、止水シート１１の下端部と設置面Ｆ１（図１参照）との間の隙間を埋めるために、止水シート１１の下端部に沿って設けられたゴム製の部材であって、止水構造１０の設置状態において、設置面Ｆ１に対して押圧されるように設置される。
【００５２】
これにより、止水シート１１と設置面Ｆ１との間の隙間から水が所定領域側へ浸水してくることを効果的に防止することができる。
【００５３】
なお、弾性部材１４を設置面Ｆ１側へ押圧する機構（締結部材２０）については、後段にて詳述する。
【００５４】
固定部材１５は、図２および図４に示すように、止水シート１１の設置方向に沿って設置面Ｆ１上に複数立設された部材であって、所定領域Ｓ２側に設置されている。そして、固定部材１５は、図５（ａ）に示すように、脚部１５ａ、固定溝１５ｂ、凹部１５ｃ、および平面部１５ｄを有している。
【００５５】
脚部１５ａは、設置面Ｆ１上に立設される脚部分であって、底面部分に固定溝１５ｂが設けられている。
【００５６】
固定溝１５ｂは、脚部１５ａを設置面Ｆ１に対して固定するためのボルトが挿入され、設置面Ｆ１側に締結される。
【００５７】
凹部１５ｃは、後述する補強部材１６が嵌め込まれる部分であって、脚部１５ａの上部に設けられている。これにより、補強部材１６を止水シート１１の表面に押し付けた状態で保持することができる。
【００５８】
平面部１５ｄは、後述する締結部材２０の一部（第２部）が配置される板状の部分であって、凹部１５ｃの上部に設けられている。
【００５９】
補強部材１６は、図５（ａ）に示すように、略四角形のフレーム部材であって、止水シート１１の所定領域側の面を補強するために、図４等に示すように、長手方向が略水平方向に沿って配置される。そして、補強部材１６は、上述した固定部材１５の凹部１５ｃに嵌め込まれるように保持される。
【００６０】
挿入ゴム１７は、図３に示すように、巻回された状態の止水シート１１の引き出し側の端部（第１端部）に取り付けられたゴム製の部材であって、板状部材１８の所定領域Ｓ２側の面に貼り付けられるように固定されている。そして、挿入ゴム１７は、止水構造１０の設置状態において、図４に示すように、溝部材１３内に挿入された状態で保持される。
【００６１】
なお、挿入ゴム１７の詳細な構成については、後段にて詳述する。
板状部材１８は、図３に示すように、止水シート１１の引き出し側の端部（第１端部）側において、止水シート１１の一方の面に貼り付けられたリブ構造１２に含まれる複数のリブ１２ａに対して固定されている。そして、板状部材１８は、折り曲げ不能な剛性を有しており、所定領域Ｓ２側の面に挿入ゴム１７が貼り付けられている。
【００６２】
固定部１９は、図６に示すように、止水シート１１のリブ構造１２が設けられた側の面に取り付けられる板状部材１８を固定するために、止水シート１１の所定領域Ｓ２側の面に略鉛直方向に４個設けられている。そして、固定部１９は、止水シート１１とリブ構造１２とを、板状部材１８との間に挟み込むようにして、板状部材１８を止水シート１１に対して固定する。
【００６３】
締結部材２０は、設置面Ｆ１に固定された固定部材１５と止水シート１１とを締結することで、止水シート１１を設置面に設置するための部材であって、スナップ式の締結部材（いわゆるパッチン錠）が用いられている。そして、締結部材２０は、締結動作によって、止水シート１１を鉛直方向下向きに移動させながら止水シート１１と固定部材１５（設置面Ｆ１）とを締結する。
【００６４】
（挿入ゴム１７）
本実施形態の止水構造１０では、弾性を有する挿入ゴム１７が、巻回された状態の止水シート１１の引き出し側の端部（第１端部）に取り付けられている。そして、挿入ゴム１７は、図７に示すように、本体部１７ａと、突出部（第１止水部）１７ｂと、当接面（第２止水部）１７ｃと、を有している。
【００６５】
本体部１７ａは、挿入ゴム１７の長手方向に直交する断面が略長方形の部分であって、上述したように、側方から溝部材１３の溝部分へ挿入される。
【００６６】
突出部（第１止水部）１７ｂは、本体部１７ａとともに一体成形され、略三角形の断面を有しており、図７に示すように、本体部１７ａにおける所定領域Ｓ２側の面から突出するように設けられている。そして、突出部１７ｂは、溝部材１３の溝内へ挿入される本体部１７ａの先端側に配置されている。さらに、突出部１７ｂは、図９に示すように、溝部材１３の溝内へ挿入されると、断面が略三角形の部分が潰されるように弾性変形して１つ目のシール部分Ｃ１を形成する。
【００６７】
すなわち、本実施形態の止水構造１０では、図９に示すように、溝部材１３の幅に対して、板状部材１８と挿入ゴム１７と突出部１７ｂとをあわせた厚みが若干大きくなるように設定されている。
【００６８】
これにより、溝部材１３の溝内へ挿入ゴム１７および板状部材１８が挿入されると、弾性を有する挿入ゴム１７と挿入ゴム１７の表面から突出するように形成された突出部１７ｂが、溝部材１３の溝内において押圧されて第１のシール部分Ｃ１を形成する。
【００６９】
そして、この第１のシール部分Ｃ１は、溝部材１３の長手方向に沿って形成されている。
【００７０】
この結果、浸水領域Ｓ１における水位が低水位である場合（図８参照）には、浸水領域Ｓ１側から所定領域Ｓ２側への浸水を、突出部１７ｂが弾性変形して形成される第１のシール部分Ｃ１において防止することができる。
【００７１】
なお、突出部１７ｂが溝部材１３の溝内において押圧力を受けて弾性変形することで形成される第１のシール部分Ｃ１は、後述する浸水領域Ｓ１における水位とは関係なく、止水構造１０が設置された状態において、常時、形成される。
【００７２】
さらに、突出部１７ｂは、挿入ゴム１７および板状部材１８が溝部材１３の溝内へ挿入される際に、２００Ｎ以下の荷重で挿入可能になるように、形状や硬度等が設定されている。
【００７３】
当接面（第２止水部）１７ｃは、本体部１７ａを構成する一部の面であって、図７に示すように、本体部１７ａにおける所定領域Ｓ２側の面における突出部１７ｂよりも挿入側とは反対寄りの位置に設けられている。そして、当接面１７ｃは、図９に示すように、溝部材１３の溝内へ挿入されると、溝部材１３の溝の壁面との間に所定の隙間を介して配置されている。
【００７４】
これにより、溝部材１３内へ挿入ゴム１７および板状部材１８が挿入される際には、図９に示すように、所定領域Ｓ２側の面において、挿入ゴム１７の突出部１７ｂの部分だけが溝部材１３の内面に接触した状態となる。
【００７５】
よって、挿入ゴム１７および板状部材１８が溝部材１３内へ挿入される際に生じる摩擦抵抗を最小限とすることができるため、溝部材１３の奥まで容易に挿入ゴム１７等を挿入することができる。
【００７６】
ここで、後述する浸水領域Ｓ１側の水位が上昇して所定の高さ以上の高水位（図１０参照）に達すると、図１１に示すように、止水シート１１は、リブ構造１２側の面が水圧によって図中の矢印方向へ押圧される。このとき、止水シート１１の第１端部側に取り付けられた板状部材１８は、折り曲げ不能な剛性を有しているため、リブ構造１２側からの水圧によって挿入ゴム１７を所定領域Ｓ２側へ押圧する。このため、止水シート１１の第１端部側に取り付けられた挿入ゴム１７は、板状部材１８とともに、溝部材１３の溝内において斜めになって、当接面１７ｃが溝部材１３の溝の壁面に当接して弾性変形する。
【００７７】
これにより、溝部材１３の溝内へ挿入ゴム１７および板状部材１８が挿入された状態において、浸水領域Ｓ１側の水位が上昇して高水位に達すると、弾性を有する挿入ゴム１７の表面の一部（当接面１７ｃ）が、溝部材１３の溝の壁面に当接して押圧され第２のシール部分Ｃ２を形成する。
【００７８】
そして、この第２のシール部分Ｃ２は、第１のシール部分Ｃ１と同様に、溝部材１３の長手方向に沿って形成されている。
【００７９】
この結果、浸水領域Ｓ１における水位が上昇して高水位に達した場合でも、浸水領域Ｓ１側から所定領域Ｓ２側への浸水を、突出部１７ｂが弾性変形して形成される第１のシール部分Ｃ１と、当接面１７ｃが弾性変形して形成される第２のシール部分Ｃ２とにおいて防止することができる。
【００８０】
すなわち、本実施形態の止水構造１０では、図１０に示すように、浸水領域Ｓ１側における水位が上昇して高水位になった場合でも、水圧によって押された止水シート１１の第１端部側に設けられた挿入ゴム１７の一部（突出部１７ｂおよび当接面１７ｃ）が弾性変形する。このとき、溝部材１３の溝内には、図１１に示すように、突出部１７ｂによって形成される第１のシール部分Ｃ１と、当接面１７ｃによって形成される第２のシール部分Ｃ２という２箇所のセルフシール部分が形成される。
【００８１】
これにより、浸水領域Ｓ１における水位が低い場合には、図９に示すように、突出部１７ｂによって形成される第１のシール部分Ｃ１によって所定領域Ｓ２への浸水を防止する。一方、浸水領域Ｓ１における水位が高い場合には、図１１に示すように、高い水圧にも耐えられるように、突出部１７ｂによって形成される第１のシール部分Ｃ１と、当接面１７ｃによって形成される第２のシール部分Ｃ２という２箇所のセルフシール部分によって効果的に所定領域Ｓ２への浸水を防止することができる。
【００８２】
なお、本実施形態において、高水位となる基準としては、例えば、浸水領域Ｓ１における水位が、図８に示す所定領域Ｓ２側に設置された固定部材１５の上端部分の高さ以上の水位を意味するものとする。すなわち、浸水領域Ｓ１における水位が、図８に示す固定部材１５の上端部分の高さ未満（浸水なしの場合も含む）の場合には低水位、固定部材１５の上端部分の高さ以上になった場合には高水位とする。
【００８３】
また、本実施形態の止水構造１０では、図９に示すように、第１のシール部分Ｃ１を形成する突出部１７ｂが、第２のシール部分Ｃ２を形成する当接面１７ｃよりも溝部材１３の奥側に配置されている。
【００８４】
これにより、溝部材１３の溝の奥側において突出部１７ｂによる第１のシール部分Ｃ１を形成し、浸水側の水位が上昇して所定の高さを超えると、溝の入り口側において当接面１７ｃが溝部材１３の一部に当接して弾性変形することで第２のシール部分Ｃ２を形成することができる。
【００８５】
また、本実施形態の止水構造１０では、図９に示すように、突出部１７ｂは、溝部材１３に挿入された状態において、溝部材１３の溝部分の深さの１／２以上奥側に配置される。
【００８６】
これにより、溝部材１３の奥側に挿入された突出部１７ｂが弾性変形することにより、溝部材１３の溝の深い位置において第１のシール部分Ｃ１を形成することができる。
【００８７】
また、本実施形態の止水構造１０では、挿入ゴム１７が２００Ｎ以下の荷重で溝部材１３へ挿入されるように、突出部１７ｂの形状や硬度等が設定されている。
【００８８】
これにより、女性や子供であっても、本止水構造１０を容易に設置することができる。
また、本実施形態の止水構造１０では、図７に示すように、突出部１７ｂは、略三角形の断面を有している。
【００８９】
これにより、所定の荷重以下で溝部材１３へ挿入しやすく、溝部材１３の溝内において変形しやすい突出部１７ｂを得ることができる。
【００９０】
また、本実施形態の止水構造１０では、図１および図３に示すように、止水部材として、シート状の止水シート１１が用いられており、止水シート１１は巻回可能である。
【００９１】
これにより、使用時以外は巻回された状態で止水シート１１を収納することができるとともに、使用時には、巻回された状態の止水シート１１を収納部３０から引き出して使用することができる。
【００９２】
［他の実施形態］
以上、本発明の一実施形態について説明したが、本発明は上記実施形態に限定されるものではなく、発明の要旨を逸脱しない範囲で種々の変更が可能である。
【００９３】
（Ａ）
上記実施形態では、巻回可能なシート状の止水シート１１が引き出されて用いられる例を挙げて説明した。しかし、本発明はこれに限定されるものではない。
【００９４】
例えば、板状の止水部材が用いられた構成であってもよい。
この場合には、板状の止水部材に剛性があれば、止水部材の一部を板状部材として機能させることで、板状部材を不要とすることができる。
【００９５】
（Ｂ）
上記実施形態では、溝部材１３の溝部分に対して板状部材１８および挿入ゴム１７が挿入される際の荷重が、２００Ｎ以下に設定されている例を挙げて説明した。しかし、本発明はこれに限定されるものではない。
【００９６】
例えば、女性や高齢者等の力の弱い作業者であっても容易に設定可能になるように、例えば、１００Ｎ以下、さらには５０Ｎ以下の荷重で挿入可能になるように、溝部材１３、弾性部材の形状、材質等を調整してもよい。
【００９７】
（Ｃ）
上記実施形態では、シート状の止水シート１１の一方の面に、補強用の複数のリブ１２ａを含むリブ構造１２が設けられている例を挙げて説明した。しかし、本発明はこれに限定されるものではない。
【００９８】
例えば、表面にリブ構造を持たないシート状の止水部材であってもよい。
（Ｄ）
上記実施形態では、補強用の複数のリブ１２ａを含むリブ構造１２が、設置状態における浸水側の面に配置される例を挙げて説明した。しかし、本発明はこれに限定されるものではない。
【００９９】
例えば、リブ構造が配置される面を浸水側とは反対側（屋内側）としてもよい。
（Ｅ）
上記実施形態では、溝部材１３として、本止水構造の専用部材として設けられたフレーム部材を用いた例を挙げて説明した。しかし、本発明はこれに限定されるものではない。
【０１００】
例えば、既設のシャッタのシャッタ溝を溝部材として利用してもよい。
（Ｆ）
上記実施形態では、第１止水部に対応する突出部１７ｂが、略三角形の断面形状を有する例を挙げて説明した。しかし、本発明はこれに限定されるものではない。
【０１０１】
例えば、第１止水部が、略半円の断面形状を有する構成であってもよい。
（Ｇ）
上記実施形態では、シート状の止水シート１１を所定領域側から補強するための補強部材１６を用いた例を挙げて説明した。しかし、本発明はこれに限定されるものではない。
【０１０２】
例えば、止水部材として板状の部材等の剛性のある部材を用いる場合には、補強部材を用いない構成であってもよい。
【０１０３】
（Ｈ）
上記実施形態では、収納部３０が壁面に埋め込まれるように設置された例を挙げて説明した。しかし、本発明はこれに限定されるものではない。
【０１０４】
例えば、ゲリラ豪雨や河川の氾濫等のおそれがある場所に止水シートが収納された収納部を持ち運んで、本止水構造を設置するようにしてもよい。
【０１０５】
（Ｉ）
上記実施形態では、巻取り可能なシート状の止水シート１１を収納部３０の筐体部３１に設けられた巻取りハンドル３４を用いて巻き取る例を挙げて説明した。しかし、本発明はこれに限定されるものではない。
【０１０６】
例えば、予め巻き取られたシート状の止水シートを、収納部の筐体部内に収納する構成であってもよいし、止水部材が、板状で構成されていてもよい。また、一方の端部だけに板状部材および挿入ゴムが取り付けられた構成であってもよいし、両端にそれぞれ板状部材および挿入ゴムが取り付けられた構成であってもよい。
【０１０７】
（Ｊ）
上記実施形態では、スナップ式の締結部材２０を用いて、設置面Ｆ１に固定された固定部材１５に対して止水ステップＳ-と１１等を固定する例を挙げて説明した。しかし、本発明はこれに限定されるものではない。
【０１０８】
例えば、止水シート等の設置面への固定方法については、スナップ式の締結部材に限らず、他の手段を用いてもよい。
【０１０９】
（Ｋ）
上記実施形態では、収納部３０の筐体部３１内に巻回された状態の止水シート１１を収納し、使用時には、止水シート１１を巻き出して設置する例を挙げて説明した。しかし、本発明はこれに限定されるものではない。
【０１１０】
例えば、止水を行う両端に溝部材を設置し、そこに止水シート（止水部材）を設置する着脱式の構成であってもよい。
【０１１１】
このとき、溝部材の一方を、既設のシャッタ溝で代用してもよい。
【産業上の利用可能性】
【０１１２】
本発明の止水構造は、専用の支柱を用いることなく、簡素な構成によって十分な止水効果を得ることができるという効果を奏することから、建造物や地下街への浸水を防止するための手段として広く適用可能である。
【符号の説明】
【０１１３】
１０      止水構造
１１      止水シート（止水部材）
１２      リブ構造
１２ａ    リブ
１３      溝部材
１４      弾性部材
１５      固定部材
１５ａ    脚部
１５ｂ    固定溝
１５ｃ    凹部
１５ｄ    平面部
１６      補強部材
１７      挿入ゴム（弾性部材）
１７ａ    本体部
１７ｂ    突出部（第１止水部）
１７ｃ    当接面（第２止水部）
１８      板状部材
１９      固定部
２０      締結部材
３０      収納部
３１      筐体部
３２      扉
３３      巻取り軸
３４      巻取りハンドル
Ｃ１      第１のシール部分
Ｃ２      第２のシール部分
Ｆ１      設置面
Ｓ１      浸水領域
Ｓ２      所定領域
【図１】
2019210734.tif 000003
【図２】
2019210734.tif 000004
【図３】
2019210734.tif 000005
【図４】
2019210734.tif 000006
【図５】
2019210734.tif 000007
【図６】
2019210734.tif 000008
【図７】
2019210734.tif 000009
【図８】
2019210734.tif 000010
【図９】
2019210734.tif 000011
【図１０】
2019210734.tif 000012
【図１１】
2019210734.tif 000013